(57)【特許請求の範囲】
【請求項１】
車両後方に、融雪タンクと吸引装置を設け、折りたたみ式ブームの側面に設けた吸引管により、雪を吸引して除雪する融雪機械において、前記融雪タンクの底部に加熱ヒーターを設け、前記融雪タンク内に送られた雪を加熱ヒーターにて融雪し、前記融雪タンク内で融雪された水又は温水を、散水ポンプにより散水管から雪に放水することで、濡らされた雪を吸引することを特徴とする融雪機械。
【請求項２】
前記吸引装置に配管により連結される圧送装置の底部に、加熱ヒーターを設けることで、前記圧送装置内に吸引した雪を融雪し、前記圧送装置に連結した圧送管から、融雪タンクへの移送または外部へ排出できることを特徴とする請求項１に記載の融雪機械。
【請求項３】
前記吸引装置に配管により連結される圧送装置により、前記圧送装置に連結した圧送管から、吸引した雪を直接外部へ排出することにより、効率的な除雪が可能であることを特徴とする請求項１に記載の融雪機械。
【発明の詳細な説明】
【技術分野】
【０００１】本発明は、屋根に降雪した雪をその場で吸引して融かして処理する融雪機械に関するものである。
【背景技術】
【０００２】通常屋根に降雪した雪は、人力作業により除雪仮置きされている。
しかし、屋根の上での除雪作業においては、常に危険な状態の中でしなければならないという問題が生じている。
この改善策としては、ボランテアなどを使用したとしても人数に限りがありスムーズに除雪が行われていないのが現状である。【０００３】例えば、特開平６−２００６５９号には、車両の旋回台に伸縮ブームが上下回動自在に配設され、該伸縮ブームの先端部に上下回動可能に取付けたステージ上に台車が載置され、該台車には、積雪掻き取り機と、掻き取った雪を集めるための集雪管とが設けられ、前記旋回台上の巻き取りドラムに巻回された可橈性集雪用ホースの先端部が上記集雪管に接続されると共に、該ホースの後端部が車両の積雪貯留タンクに接続され、該タンクには積雪吸引機構が備えられている融雪装置に関する技術が公開されているが、回収した雪の処理に課題がある。
【先行技術文献】
【特許文献】
【０００４】
【特許文献１】特開平６−２００６５９号（明細書０００５、図１）
【発明の概要】
【発明が解決しようとする課題】
【０００５】  解決しようとする問題点は、屋根の上で人が除雪作業をすることなく、また、仮置きを必要としない、その場で除雪を行い、回収した雪を融雪などにより処理することのできる機械を提供することにある。
【課題を解決するための手段】
【０００６】本発明は、車両後方に融雪タンクを設け、その底盤部に加熱ヒーターを設置し、散水ポンプにより融雪タンク内の水又は温水を、折りたたみ式ブーム側面に設けた散水管より、屋根に降雪された雪に放水し、放水された状態の雪を折りたたみ式ブーム側面に設けた吸引管により吸引することで、雪の吸引がし易くなること、及び除雪と吸引した雪の融雪を同時に行うことを特徴とする。また、圧送装置により、吸引した雪を外部へ排出処理することも可能としている。【０００７】融雪を促進するために、圧送装置と融雪タンク底部には加熱ヒーターを設け、雪の回収と連動して融雪されるために、作業の効率が上がる融雪機械を提供できる。【０００８】折りたたみ式ブーム先端付近には、目視用カメラを設置することにより、除雪作業の詳細な状況が掌握でき、除雪作業の効率向上につながる融雪機械を提供することができる。【０００９】融雪タンク内で融雪された水を、散水用として再利用することで、最小限の水の使用に抑えられ、コストの削減効果が期待できる
【発明の効果】
【００１０】本発明の融雪機械は、降雪した雪を吸引しその場で溶かして排除できるため、従来のような屋根の上での危険が常に伴っていた人力作業をすることなく、また仮置きすることもなく、安全で時間と経費の削減に大きく貢献ができる。【００１１】従来の転倒滑落による事故防止につながり、人体と人命の安全か確保される。
【図面の簡単な説明】
【００１２】
【図１】本発明の一例の側面図
【図２】本発明の一例の平面図
【図３】本発明のブームに取り付けた、吸引管と散水管の一例の正面図
【発明を実施するための形態】
【実施例１】
【００１３】本発明の融雪機械について、図面を引用して説明する【００１４】９  融雪タンク２０  発電機
図１を参照して詳細に説明する。融雪機械１は、エンジンルーム２３、発電機２０、融雪タンク９、折りたたみ式ブーム２で構成される。折りたたみ式ブーム２には、吸引管４と散水管１２が側面に設けられ、その先端部には目視用カメラ５が設けられ、運転室１４の内部前方にモニター６が設けられている。そのモニター１６で屋根に積もっている雪１７を目視でき、除雪吸引作業がしやすくなっている。【００１５】図３に示すように折りたたみ式ブーム２の側面には、吸引管４と散水管１２が設けられ、散水管１２から降雪した雪１７に放水しながら、吸引装置２２に連結した吸引ホース３で雪を吸引し、融雪タンク９へ移送する。これにより除雪と融雪作業を同時に行うことを実現している。【００１６】折りたたみ式ブーム２は油圧可動であるため、作業がスムーズに出来るものである。【００１７】図２に示すように、吸引管４から吸い込まれた雪１７は、圧送装置７に取り込まれ、圧送装置７の底部には加熱ヒーター１８が設けられており、融雪が図られる構造となっている。【００１８】圧送装置７から、融雪タンク９へと送られた雪１７は、融雪タンク９の下部に設けられている加熱ヒーター１８により、融雪されるようになっている。また、融雪タンク９には、雪が融けて水になったものを外部へ排出するための開閉コック１０が設けられ、排水ホース１１を経由し、排水溝２１に排出される構造となっている。【００１９】融雪タンク９内部には、散水用ポンプ１９が設置され、雪が融けた水を、散水用として再利用でき、経費の削減に貢献できるものである。【００２０】融雪タンク９内部に、事前に水を張り温めておけば、散水時及び吸引した雪の融雪効果が促進され作業の短縮が図られる。【００２１】スピーディーに除雪を進めたい時には、圧送装置７に設けた圧送管８に、外部につながる配管を連結することで、溶けていない状態の雪をそのまま排出することが可能となり、作業効率が向上する。【００２２】図２に示すように、融雪機械１に搭載した発電機６は、熱源と電力源に利用する。【００２３】図１に示すように、運転席１４の前面には、安全カバー１５が設けられ、滑落した雪が当たっても、運転席１４には、直接当たらない構造となっているため、安全作業が確保される構造となっている。【００２４】図１に示すように、機械の走行にはタイヤが望ましいが、キャタピラ等も利用できる。
【産業上の利用の可能性】
【００２５】本発明の融雪機械は、工業生産が可能であり、除雪作業に利用できる。
【符号の説明】
【００２６】１  融雪機械                １１  排水ホース          ２１  排水溝
２  折たたみ式ブーム        １２  散水管              ２２  吸引装置
３  吸引ホース              １３  タイヤ              ２３  エンジンルーム
４  吸引管                  １４  運転室
５  目視カメラ              １５  カバー
６  モニター                １６  屋根
７  圧送装置                １７  雪
８  圧送管                  １８  加熱ヒーター
９  融雪タンク              １９  散水用ポンプ
１０  開閉コック            ２０  発電機
【要約】
【課題】  従来屋根に積もった雪は、人力作業により除雪をし、また住居の周りに仮置きされていた状況であった。一方で屋根の上で除雪作業をするのは常に危険が伴い、事故等が起きるという課題があった。
【解決の手段】本発明は、車両後方に融雪タンクを設け、その底盤部に加熱ヒーターを設置し、散水ポンプにより融雪タンク内の水又は温水を、折りたたみ式ブーム側面に設けた散水管より、屋根に降雪された雪に放水し、放水された状態の雪を折りたたみ式ブーム側面に設けた吸引管により吸引することで、雪の吸引をし易くすること、及び除雪と吸引した雪の融雪を同時に行うことを特徴とする。また、圧送装置により、吸引した雪を外部への排出処理も可能としている。
【選択図】図１【図１】
0005861175.tif 000002
【図２】
0005861175.tif 000003
【図３】
0005861175.tif 000004